(57)【要約】      （修正有）【課題】ゴミ拾いトング、或いは箒と塵取りを使った野外の掃除作業において、ゴミ拾いトングで掴んだゴミ、或いは箒で掃き取った塵取りの中のゴミを能率よくゴミ袋にゴミ投入が行えて簡易ゴミ箱としても使用できる、取っ手付ゴミ袋ホルダーを提供する。【解決手段】取っ手２３を設けたゴミ袋ホルダー本体枠２１に、ゴミ袋押え枠２２を嵌合させた構造であり、ゴミ袋の取付けはゴミ袋ホルダー本体枠２１とゴミ袋押え枠２２の嵌合部に、ゴミ袋の開口部を挟み込んで保持、固定する。簡易ゴミ箱として使用するときは、ゴミ袋ホルダー本体枠２１の脚取付け部２１ａに脚２４を取付ける。取っ手２３を持つことで、開口部が全開に近い状態のゴミ袋を片手で持ち運びができ、簡易ゴミ箱として使用できる。【選択図】図１
0003224486.tif 000002
【実用新案登録請求の範囲】
【請求項１】
取っ手を設けたゴミ袋ホルダー本体枠に、ゴミ袋を装着するためのゴミ袋押え枠を嵌め合せた構造で構成されたことを特徴とする取っ手付ゴミ袋ホルダー。
【請求項２】
脚を設けたことを特徴とする、請求項１に記載の取っ手付ゴミ袋ホルダー。
【考案の詳細な説明】
【技術分野】
【０００１】
本考案は、自治体指定ゴミ袋、一般市販ゴミ袋を、本考案の取っ手付ゴミ袋ホルダーに装着し、取っ手を持つことにより、開口部が全開に近い状態のゴミ袋を片手で持ち運ぶことができ、この取っ手付ゴミ袋ホルダーに脚を取り付けることにより、簡易ゴミ箱としても使用できる取っ手付ゴミ袋ホルダーに関するものである。
【背景技術】
【０００２】
野外のゴミ拾いトングを使った清掃作業において、片手にゴミ拾いトング、もう一方の片手でゴミ袋単体を持つとゴミ袋の開口部が狭くなったり、開口部の端が重なってゴミ袋の開口部を塞いでいるため、ゴミ拾いトングで拾ったゴミをゴミ袋に投入するのが困難であり手間がかかり、清掃作業時間が長くなる原因になっている。
【０００３】
野外の箒を使った掃き掃除において、箒、塵取り、ゴミ袋が必要であり、一人で作業をする場合、片手に箒と塵取り、もう一方の片手でゴミ袋単体を持って掃除をする目的場所まで行き、掃き掃除をするときはゴミ袋を地上に置き、片手に箒、もう一方の片手に塵取りを持って掃き掃除を行い、塵取りの中の掃き取ったゴミをゴミ袋に投入するときは、箒を手から離して地上に置き、空いた手でゴミ袋を持ち上げ、その開口部を開きながら持ち、塵取りの中の掃き取ったゴミをゴミ袋に投入している。この一連の動作が掃き掃除の時間が長くなる原因になっている。
【０００４】
このような問題に対し、例えば特許文献１には、流し台等に取り付けるための止着具を設けたゴミ袋ホルダーが開示されている。また特許文献２には、吊り具を使って適当な個所にかけておくことができるゴミ袋ホルダーが開示されている。しかしながらこれらのゴミ袋ホルダーは、室内で使用することが前提であって、止着具や吊り具を固定する壁面やフックがない野外で使用することに不向きである。
【先行技術文献】
【特許文献】
【０００５】
【特許文献１】実開昭５９−０４９６０９号公報
【特許文献２】実開平０６−０４２８０３号公報
【考案の概要】
【考案が解決しようとする課題】
【０００６】
図１１が示すように、従来の野外の歩道、道路、公園、公共施設周辺等のゴミ拾いトングを使った清掃作業において、掃除作業者３１が片手にゴミ拾いトング３３、もう一方の片手でゴミ袋３２単体を持つとゴミ袋の開口部が狭くなったり、開口部の端が重なってゴミ袋の開口部を塞いでいるため、ゴミ拾いトング３３で拾ったゴミをゴミ袋３２に投入するとき、ゴミを掴んだ状態のゴミ拾いトング３３でゴミ袋３２の開口部を広げながらゴミをゴミ袋３２に投入している。このゴミ投入動作のとき、ゴミ拾いトング３３で掴んでいるゴミを落下させてしまうこともあり、この落下させたゴミを再びゴミ拾いトング３３で掴んでゴミ袋３２に投入している。このゴミ投入動作の能率が良くなく、ゴミ拾いトング３３を使った清掃作業の時間を長くする原因になっている。
【０００７】
図１２に示すように、従来の野外の箒を使った清掃作業において、箒、塵取り、ゴミ袋が必要であり、掃除作業者３１が一人で作業をする場合は片手に箒３４と塵取り３５、もう一方の片手でゴミ袋３２単体を持ち掃除をする目的場所まで移動し、図１３に示すようにゴミ袋３２を地上に置き、片手に箒３４、もう一方の片手に塵取り３５を持って掃き掃除を行い、掃き取った塵取り３５の中のゴミをゴミ袋３２に投入するときは、箒３４を手から離し地上に置き腰を屈めて空いた手で地上に置いてあるゴミ袋３２を持上げ、その開口部を開きながら持ち塵取り３５の中のゴミをゴミ袋３２に投入している。この一連の動作が掃き掃除の時間を長くしている。
【０００８】
上記の従来の野外の箒を使った掃き掃除において掃除時間を短くするには作業者を二人にして、一人は箒と塵取りで掃き掃除を行い、もう一人は掃き取り作業者の掃き取った塵取りの中のゴミを、両手で開口部を広げたゴミ袋で受け取るようにすれば清掃時間は短縮できるが、作業者が一人から二人になることで掃除依頼者側からすれば経費が増える原因になっている。
本考案は、以上のような欠点を解決しようとするものである。
【課題を解決するための手段】
【０００９】
図１４に示すように本考案の取っ手付ゴミ袋ホルダー２０にゴミ袋３２を装着することで、ゴミ袋３２の開口部が取っ手付ゴミ袋ホルダー２０の形に沿って保持、固定され、取っ手を持つことで、開口部が全開に近い状態のゴミ袋３２を片手で持ち歩くことができ、野外の清掃作業においてゴミ拾いトング３３で拾ったゴミの投入は困難なく容易に歩きながらでもゴミ袋３２にゴミ投入ができ、ゴミ袋３２へのゴミ投入が困難であるという問題点を解決している。
【００１０】
図１５に示すように、上述の取っ手付ゴミ袋ホルダー２０の脚取付部に脚２４を取り付けることで簡易ゴミ箱として使用でき、箒と塵取りを使った掃き掃除において片手に箒３４と塵取り３５、もう一方の片手に簡易ゴミ箱としての取っ手付ゴミ袋ホルダー２０を持って、掃除をする場所まで移動し、掃除をするときは図１６のように近くに置いて掃除を行い、塵取り３５の中の掃き取ったゴミは簡易ゴミ箱としての取っ手付ゴミ袋ホルダー２０にゴミ袋３２を手で持つことなく直接、容易にゴミ投入ができ、ゴミ袋３２へのゴミ投入が困難であるという問題点を解決している。
【図面の簡単な説明】
【００１１】
【図１】本考案の、取っ手付ゴミ袋ホルダーにゴミ袋を装着し、脚を設けた状態の斜視図である。
【図２】本考案の、取っ手付ゴミ袋ホルダーの斜視図である。
【図３】本考案の、取っ手付ゴミ袋ホルダーの平面図である。
【図４】本考案の、取っ手付ゴミ袋ホルダーの正面図である。
【図５】本考案の、取っ手付ゴミ袋ホルダーの側面図である。
【図６】本考案の、取っ手の斜視図である。
【図７】本考案の、ゴミ袋押え枠の斜視図である。
【図８】本考案の、ゴミ袋ホルダー本体枠の斜視図である。
【図９】本考案の、ゴミ袋挟み込み部の断面拡大図である。
【図１０】本考案の、脚の斜視図である。
【図１１】従来の、片手にゴミ拾いトング、もう一方の片手でゴミ袋単体を持ってゴミ拾いをする作業者の簡略図である。
【図１２】従来の、片手に箒と塵取り、もう一方の片手にゴミ袋単体を持って歩く作業者の簡略図である。
【図１３】従来の、片手に箒、もう一方の片手塵取りを持ち、地上にゴミ袋を置いて掃除をする作業者の簡略図である。
【図１４】本考案の、ゴミ袋を装着した取っ手付ゴミ袋ホルダーを片手に持ち、もう一方の片手でゴミ拾いトングを持ってゴミ拾いをする作業者の簡略図である。
【図１５】本考案の、ゴミ袋を装着した取っ手付ゴミ袋ホルダーに脚を取付け、簡易ゴミ箱としての取っ手付ゴミ袋ホルダーを片手に持ち、もう一方の片手で箒と塵取りを持って歩く作業者の簡略図である。
【図１６】本考案の、ゴミ袋を装着した取っ手付ゴミ袋ホルダーに脚を取付け、簡易ゴミ箱としての取っ手付ゴミ袋ホルダーを地上に置き、片手に箒、もう一方の片手に塵取りを持って掃き掃除をする作業者の簡略図である。
【考案を実施するための形態】
【００１２】
以下、図１から図１０に示すように、本考案を実施するための形態について説明する。
図２に示すように、本考案の取っ手付ゴミ袋ホルダー２０は、取っ手２３を設けたゴミ袋ホルダー本体枠２１と、その内側にゴミ袋の開口部を保持、固定するためのゴミ袋押え枠２２を嵌め合せた構造で構成される。
【００１３】
図９に示すようにゴミ袋の取付けは、ゴミ袋ホルダー本体枠２１の内側にゴミ袋３２の開口部を装着し、ゴミ袋の開口部の端３２ａをゴミ袋ホルダー本体枠２１の内面に沿って外側に折り返し、ゴミ袋押え枠２２を上方向から挿入しゴミ袋ホルダー本体枠２１とゴミ袋押え枠２２の嵌合部にゴミ袋の開口部を挟み込んでゴミ袋を保持、固定する。
【００１４】
図１に示すように、簡易ゴミ箱として使用するときは、ゴミ袋ホルダー本体枠２１の脚取付け部２１ａに脚２４を取付ける。脚２４の長さは、装着したゴミ袋３２の底の部分が少し余裕を持って地面に触れる程度であればよい。
【００１５】
図８に示すゴミ袋ホルダー本体枠２１の内側面の周長と、図７に示すゴミ袋押え枠２２の外側面の周長は、ほぼ同じ周長であって、装着するゴミ袋の開口部の周長より少し小さめとする。
【００１６】
本考案は、以上のような構造である。これを使用するときは、図１４から図１６に示すように取っ手２３を持つことにより、開口部が全開に近い状態のゴミ袋を片手で持ち運ぶことができる、取っ手付ゴミ袋ホルダーあるいは簡易ゴミ箱として使用する。
【００１７】
本考案の、取っ手付ゴミ袋ホルダーは図３の平面図において円形であるが、それに限らず楕円、矩形、多角形でもよく、ゴミ袋の開口部を開いた状態を保てる枠体であればよい。
【００１８】
本考案の、取っ手２３とゴミ袋ホルダー本体枠２１は脱着可能な構造であるが、一体物で制作されたものでも目的とする機能はかわらないため、一体物で制作されたものでもよい。
【００１９】
本考案の、ゴミ袋ホルダー本体枠２１と脚２４は脱着可能な構造であるが、一体物で制作されたものでも目的とする機能はかわらないため、一体物で制作されたものでもよい。
【００２０】
本考案の、ゴミ袋ホルダー本体枠２１の脚取付け部２１ａは図３の平面図において４ヶ所であるが、３ヶ所あるいは４ヶ所以上であっても目的とする機能はかわらないため、一体物で制作されたものでもよい。
【符号の説明】
【００２１】
２０    取っ手付ゴミ袋ホルダー（２１、２２、２３を組合せた物）
２１    ゴミ袋ホルダー本体枠
２１ａ  脚取付け部
２２    ゴミ袋押え枠
２３    取っ手
２４    脚
３１    掃除作業者
３２    ゴミ袋
３３    ゴミ拾いトング
３４    箒
３５    塵取り
【図１】
0003224486.tif 000003
【図２】
0003224486.tif 000004
【図３】
0003224486.tif 000005
【図４】
0003224486.tif 000006
【図５】
0003224486.tif 000007
【図６】
0003224486.tif 000008
【図７】
0003224486.tif 000009
【図８】
0003224486.tif 000010
【図９】
0003224486.tif 000011
【図１０】
0003224486.tif 000012
【図１１】
0003224486.tif 000013
【図１２】
0003224486.tif 000014
【図１３】
0003224486.tif 000015
【図１４】
0003224486.tif 000016
【図１５】
0003224486.tif 000017
【図１６】
0003224486.tif 000018